(57)【要約】【課題】漏洩した冷媒の拡散を図る手段の可動部が長期間の停止により固着等してしまい、必要時に当該手段が動作できないことを抑制できるヒートポンプ装置を提供する。【解決手段】この発明に係るヒートポンプ装置は、室内熱交換器２１及び室内ファン２２を内部に収容する室内機２０の筐体と、水熱交換器３２を内部に収容する中継器３０の筐体と、中継器３０の筐体の内部又は中継器３０が設置される空間内に設けられた撹拌ファン４０と、を備える。撹拌ファン４０は当該ヒートポンプ装置の運転開始時に動作する。【選択図】図１
2020071008.tif 000002
【特許請求の範囲】
【請求項１】
冷媒が封入された冷媒配管と、
液状熱媒体が封入された熱媒体配管と、
前記冷媒と前記液状熱媒体との間で熱を交換する液熱交換器と、
前記液状熱媒体と空気との間で熱を交換する空気熱交換器と、
前記空気熱交換器の周囲を通過する空気流を生成する送風ファンと、
前記空気熱交換器、前記送風ファンを内部に収容する第１の筐体と、
前記液熱交換器を内部に収容する第２の筐体と、
前記第２の筐体の内部、又は、前記第２の筐体の外部であって前記第２の筐体が設置される空間内に設けられた撹拌ファンと、を備え、
前記撹拌ファンは、当該ヒートポンプ装置の運転開始時に動作するヒートポンプ装置。
【請求項２】
前記第１の筐体の内部における前記冷媒の漏洩を検知可能な第１の漏洩検知手段と、
前記第２の筐体の内部又は前記空間内における前記冷媒の漏洩を検知可能な第２の漏洩検知手段と、
前記第１の漏洩検知手段により前記冷媒の漏洩が検知された場合に前記送風ファンを動作させ、前記第２の漏洩検知手段により前記冷媒の漏洩が検知された場合に前記撹拌ファンを動作させる制御手段と、をさらに備え、
前記制御手段は、当該ヒートポンプ装置の運転開始時に前記撹拌ファンを動作させる請求項１に記載のヒートポンプ装置。
【請求項３】
前記熱媒体配管の内部圧力が予め設定された動作圧以上になると開放する第１の圧力弁及び第２の圧力弁をさらに備え、
前記第１の筐体は、さらに前記第１の圧力弁を内部に収容し、
前記第２の筐体は、さらに前記第２の圧力弁を内部に収容し、
前記制御手段は、前記撹拌ファンが正常に動作できない場合に、前記第２の圧力弁の開放を禁止する請求項２に記載のヒートポンプ装置。
【請求項４】
前記撹拌ファンの風量を検出する風量センサをさらに備え、
前記制御手段は、前記撹拌ファンの風量が予め設定された基準風量以下の場合に、前記撹拌ファンが正常に動作できないとして前記第２の圧力弁の開放を禁止する請求項３に記載のヒートポンプ装置。
【請求項５】
前記撹拌ファンの回転数を検知する回転数センサをさらに備え、
前記制御手段は、前記撹拌ファンの回転数が予め設定された基準回転数以下の場合に、前記撹拌ファンが正常に動作できないとして前記第２の圧力弁の開放を禁止する請求項３に記載のヒートポンプ装置。
【請求項６】
前記制御手段は、予め設定された一定期間毎に前記撹拌ファンを動作させる請求項２から請求項５のいずれか一項に記載のヒートポンプ装置。
【請求項７】
前記撹拌ファンの風向は、鉛直上向き又は鉛直下向きである請求項１から請求項６のいずれか一項に記載のヒートポンプ装置。
【発明の詳細な説明】
【技術分野】
【０００１】
この発明は、ヒートポンプ装置に関するものである。
【背景技術】
【０００２】
ヒートポンプ装置が適用される機器として空気調和機がある。空気調和機の室内機として、ケーシング（筐体）と、可燃性冷媒が流れる熱交換器と、ファンと、可燃性冷媒の漏洩を検知する検知センサと、ファンの作動を制御する制御装置と、を備え、制御装置は、検知センサにより可燃性冷媒の漏洩が検知されると、ファンが停止している場合はファンを起動するものが知られている（例えば、特許文献１参照）。
【先行技術文献】
【特許文献】
【０００３】
【特許文献１】特開２０１５−０９４５１５号公報
【発明の概要】
【発明が解決しようとする課題】
【０００４】
ヒートポンプ装置が適用された空気調和機としては、特許文献１に示されるようなものの他に、冷媒が流れる冷媒回路と、水（液状熱媒体）が流れる水回路とを有し、冷媒と水との間で熱交換させる水熱交換器（液熱交換器）を備えたものがある。そして、このような空気調和機においては、室内機と室外機の他に、水熱交換器を収容した中継器を備えたものがある。中継器では空気との熱交換が不要であるため、中継器には送風ファンは設けられていない。
【０００５】
特許文献１に示される装置においては、このような中継器の水熱交換器における冷媒漏洩について考慮されていない。すなわち、中継器の水熱交換器で冷媒漏洩が発生しても、中継器には送風ファンが設けられていないため、送風ファンによる冷媒の拡散を図ることができない。
【０００６】
また、仮に中継器に冷媒漏洩時に空気を撹拌するためのファンを設けたとしても、このようなファンは、冷媒が漏洩していない通常時には停止しており停止期間が比較的に長くなる。このため、ファンが固着していたり、埃等が堆積していたりして、必要時にファンが動作しないおそれがある。
【０００７】
特に、水熱交換器において冷媒回路と水回路との絶縁が破れ、水回路内に冷媒が流入した場合には、中継器内の圧力弁が動作して水回路内の冷媒が中継器側で漏洩する。このような時に、中継器の撹拌ファンが動作しないと、中継器側で漏洩した冷媒の拡散を図ることができないため、漏洩した冷媒が滞留し冷媒濃度が上昇してしまうおそれがある。
【０００８】
この発明は、このような課題を解決するためになされたものである。その第１の目的は、液熱交換器を収容した中継器を有するヒートポンプ装置において、中継器の液熱交換器で冷媒漏洩が発生した場合に、漏洩した冷媒の拡散を図ることができるヒートポンプ装置を提供することにある。また、第２の目的は、そのような漏洩した冷媒の拡散を図る手段の可動部が長期間の停止により固着等してしまい、必要時に当該手段が動作できないことを抑制できるヒートポンプ装置を提供することにある。
【課題を解決するための手段】
【０００９】
この発明に係るヒートポンプ装置は、冷媒が封入された冷媒配管と、液状熱媒体が封入された熱媒体配管と、前記冷媒と前記液状熱媒体との間で熱を交換する液熱交換器と、前記液状熱媒体と空気との間で熱を交換する空気熱交換器と、前記空気熱交換器の周囲を通過する空気流を生成する送風ファンと、前記空気熱交換器及び前記送風ファンを内部に収容する第１の筐体と、前記液熱交換器を内部に収容する第２の筐体と、前記第２の筐体の内部、又は、前記第２の筐体の外部であって前記第２の筐体が設置される空間内に設けられた撹拌ファンと、を備え、前記撹拌ファンは、当該ヒートポンプ装置の運転開始時に動作する。
【発明の効果】
【００１０】
この発明に係るヒートポンプ装置によれば、中継器の液熱交換器で冷媒漏洩が発生した場合に、漏洩した冷媒の拡散を図ることができるという効果を奏する。また、そのような漏洩した冷媒の拡散を図る手段の可動部が長期間の停止により固着等してしまい、必要時に当該手段が動作できないことを抑制できるという効果を併せて奏する。
【図面の簡単な説明】
【００１１】
【図１】この発明の実施の形態１に係るヒートポンプ装置が適用された空気調和機の室外機、中継器及び室内機の内部構成を示す図である。
【図２】この発明の実施の形態１に係るヒートポンプ装置が適用された空気調和機の制御系統の構成を示すブロック図である。
【図３】この発明の実施の形態１に係るヒートポンプ装置が適用された空気調和機の動作の一例を示すフロー図である。
【発明を実施するための形態】
【００１２】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１３】
実施の形態１．
図１から図３は、この発明の実施の形態１に係るものである。図１はヒートポンプ装置が適用された空気調和機の室外機、中継器及び室内機の内部構成を示す図である。図２はヒートポンプ装置が適用された空気調和機の制御系統の構成を示すブロック図である。そして、図３はヒートポンプ装置が適用された空気調和機の動作の一例を示すフロー図である。
【００１４】
以下においては、この発明に係るヒートポンプ装置を空気調和機に適用した場合を例にして説明する。なお、この発明は、ルームエアコン及び業務用のパッケージエアコン等を含む空気調和機の他に、例えば、給湯器、ショーケース、冷蔵庫、チラーシステム等に適用され、冷媒が循環する１次回路（冷媒回路）と熱媒体が循環する２次回路（熱媒体回路）とを備えたヒートポンプ装置に利用できる。
【００１５】
空気調和機は、室外機１０、室内機２０及び中継器３０を備えている。室内機２０は、空気調和の対象となる部屋の室内に設置される。室外機１０は、当該部屋の室外に設置される。中継器３０は、例えば、空気調和の対象でない部屋の室内に設置される。室外機１０は、圧縮機１２、四方弁１３、室外熱交換器１４、室外ファン１５及び膨張弁１６を備えている。室内機２０は、室内熱交換器２１、室内ファン２２及びドレンパン２３を備えている。中継器３０は、水熱交換器３２及びポンプ３３を備えている。
【００１６】
室外機１０と中継器３０とは冷媒配管１１で接続されている。冷媒配管１１は、室外機１０の室外熱交換器１４と中継器３０の水熱交換器３２との間で循環的に設けられている。冷媒配管１１内には冷媒が封入されている。冷媒配管１１内に封入される冷媒は、地球温暖化係数（ＧＷＰ）の小さいものを用いることが地球環境保護上の観点からいって望ましい。この冷媒は空気よりも平均分子量が大きく（空気よりも密度が大きく）、空気中では重力方向（鉛直方向）の下方へと沈んでいく性質を持っている。
【００１７】
このような冷媒として、具体的に例えば、テトラフルオロプロペン（ＣＦ３ＣＦ＝ＣＨ２：ＨＦＯ−１２３４ｙｆ）、ジフルオロメタン（ＣＨ２Ｆ２：Ｒ３２）、プロパン（Ｒ２９０）、プロピレン（Ｒ１２７０）、エタン（Ｒ１７０）、ブタン（Ｒ６００）、イソブタン（Ｒ６００ａ）、１．３．３．３−テトラフルオロ−１−プロペン（ＣＦ３−ＣＨ＝ＣＨＦ：ＨＦＯ−１２３４ｚｅ）等の中から選ばれる１つ以上の冷媒からなる（混合）冷媒を用いることができる。これらの冷媒には、可燃性（微燃性又は強燃性）を有するものが含まれる。
【００１８】
冷媒配管１１は、圧縮機１２、膨張弁１６、室外熱交換器１４及び水熱交換器３２を環状に接続している。したがって、室外熱交換器１４と水熱交換器３２との間で冷媒が循環する冷媒回路が形成されている。圧縮機１２は、供給された冷媒を圧縮して当該冷媒の圧力及び温度を高める機器である。圧縮機１２は、例えば、ロータリ圧縮機、あるいは、スクロール圧縮機等を用いることができる。膨張弁１６は、流入した冷媒を膨張させ、当該冷媒の圧力を低下させる。すなわち、膨張弁１６は、冷媒を減圧させる減圧装置である。
【００１９】
室外熱交換器１４は、室外熱交換器１４に流入した冷媒と空気との間で熱を交換する。室外ファン１５は、後述する室外機筐体内の風路の中に気流を発生させ、外気が室外熱交換器１４の周囲を通過するように送風する。室外熱交換器１４は、流入した冷媒を、蒸発又は凝縮することにより、ファン７から送られる室外の空気と熱交換をし、空気を冷却又は加熱する。
【００２０】
中継器３０と室内機２０とは水配管３１で接続されている。水配管３１は、中継器３０の水熱交換器３２と室内機２０の室内熱交換器２１との間で循環的に設けられている。水配管３１内には、液状熱媒体である水が封入されている。すなわち、水配管３１は、内部に液状熱媒体である水が入れられた熱媒体配管である。なお、水は、液状熱媒体の一例である。液状熱媒体としては、他にブライン等が用いられる場合もある。
【００２１】
水熱交換器３２は、冷媒と水すなわち液状熱媒体との間で熱を交換する液熱交換器である。水熱交換器３２は、例えば、熱交換効率が高いプレート熱交換器又は二重管熱交換器等が用いられる。
【００２２】
ポンプ３３は、水配管３１に設けられている。ポンプ３３は、液熱交換器である水熱交換器３２に、液状熱媒体である水を流れさせるためのものである。熱媒体配管である水配管３１は、水熱交換器３２及びポンプ３３を環状に接続している。したがって、ポンプ３３によって室内熱交換器２１と水熱交換器３２との間で水が循環される水回路が形成されている。そして、ポンプ３３は、このようにして環状に形成された水配管３１（熱媒体配管）に予め定められた循環方向で水（液状熱媒体）を流れさせる。
【００２３】
室内熱交換器２１は、室内熱交換器２１に流入した水（液状熱媒体）と空気との間で熱を交換する空気熱交換器である。室内ファン２２は、後述する室内機筐体内の風路の中に気流を発生させ、外気が室内熱交換器２１の周囲を通過するように送風する。室内熱交換器２１は、流入した高温または低温の水を、室内ファン２２から送られる室内空気と熱交換することで室内の空気と熱交換する。このように、室内ファン２２は、空気熱交換器である室内熱交換器２１の周囲を通過する空気流を生成する送風ファンである。
【００２４】
室外機１０は、室外機筐体を備えている。室外機筐体の内部には、冷媒配管１１の一部、圧縮機１２、四方弁１３、室外熱交換器１４、室外ファン１５及び膨張弁１６が収容されている。また、室内機２０は、室内機筐体を備えている。室内機筐体は、第１の筐体である。第１の筐体である室内機筐体の内部には、室内熱交換器２１、室内ファン２２及びドレンパン２３並びに水配管３１の一部が収容されている。ドレンパン２３は、室内機筐体の内部における室内熱交換器２１の下方に配置されている。ドレンパン２３は、室内熱交換器２１のフィンの表面で生じた結露水を受けるためのものである。
【００２５】
室内機筐体には、室内機筐体の内部と外部とを連通する吸込口及び吹出口が形成されている。室内機筐体の内部には、吸込口から室内熱交換器２１及び室内ファン２２を通過して吹出口へと通じる風路が形成されている。すなわち、この風路は、室内機筐体の外部から取り込んだ空気を室内熱交換器２１で熱交換させた後に室内機筐体の外部へと放出するためのものである。なお、室外機筐体についても同様に、吸込口、吹出口及び風路が形成されている。
【００２６】
中継器３０は、中継器筐体を備えている。中継器筐体は、第２の筐体である。第２の筐体である中継器筐体の内部には、水熱交換器３２及びポンプ３３並びに冷媒配管１１の一部及び水配管３１の一部が収容されている。
【００２７】
この実施の形態に係るヒートポンプ装置が適用された空気調和機は、さらに、空気抜き弁３４、第１の圧力弁２４及び第２の圧力弁３５を備えている。空気抜き弁３４は、熱媒体配管である水配管３１の中の空気等の気体を外へと排出可能な弁である。水回路の水配管３１等の中に空気が存在すると水の円滑な流通が阻害される。また、ポンプ３３に空気が入ると空回り（いわゆる「エア噛み」）して水を循環させることができなくなる可能性がある。例えば、通常時、空気抜き弁３４の内部は水で満たされており、開口部とフロートが密着することで密封されている。空気抜き弁３４の内部に空気がたまるとフロートが水に浮きながら水面位置まで下がるために、開口部とフロートの間に隙間ができ空気だけが外部に排出される。
【００２８】
第１の圧力弁２４及び第２の圧力弁３５は、水配管３１の内部圧力が予め設定された動作圧以上になると水配管３１を開放して水配管３１の内部圧力を一定にすることが可能な制御弁である。
【００２９】
空気抜き弁３４、第１の圧力弁２４及び第２の圧力弁３５は、いずれも熱媒体配管である水配管３１に設けられている。第１の圧力弁２４は、水配管３１の室内機筐体に収容された部分に設けられている。換言すれば、第１の圧力弁２４は、第１の筐体である室内機筐体の内部に収容されている。また、空気抜き弁３４及び第２の圧力弁３５は、水配管３１の中継器筐体に収容された部分に設けられている。したがって、第２の圧力弁３５は、第２の筐体である中継器筐体の内部に収容されている。
【００３０】
なお、図１に示すように、第１の圧力弁２４は、ドレンパン２３の上方に配置するとよい。第１の圧力弁２４が作動すると、水配管３１の水が第１の圧力弁２４から外部に漏れ出る場合がある。第１の圧力弁２４をドレンパン２３の上方に配置することで、第１の圧力弁２４から漏れ出た水をドレンパン２３で受けることができる。
【００３１】
このようにして構成された冷媒回路及び水回路は、室外熱交換器１４において冷媒と空気の間で熱交換を行い、水熱交換器３２において冷媒と水の間で熱交換を行い、さらに、室内熱交換器２１において水と空気の間で熱交換を行うことにより、室内機２０と室外機１０との間で熱を移動させるヒートポンプとして働く。すなわち、可燃性冷媒が循環する１次回路（冷媒回路）と非可燃性の熱媒体（ここでは水）が循環する２次回路とを用いた間接方式のヒートポンプ装置である。この際、四方弁１３を切り換えることにより、冷媒回路における冷媒の循環方向を反転させて冷房運転と暖房運転とを切り換えることができる。
【００３２】
まず、冷房運転時においては、１次側の冷媒回路では、圧縮機１２により冷媒は高温・高圧となり、四方弁１３を通り室外熱交換器１４へ流入する。この際、室外熱交換器１４は、凝縮器として機能し、流入した冷媒を凝縮させる。すなわち、室外熱交換器１４に流入した高温の冷媒は、低温の外気と熱交換して凝縮し液冷媒となる。
【００３３】
液冷媒は、膨張弁１６を通り膨張し、低温・低圧で気相と液相が混じった気液二相状態の冷媒となる。この低温の気液二相冷媒は、水熱交換器３２に流入し、水回路を循環する水と熱交換して蒸発してガス冷媒となる。この熱交換により水回路の水は冷却される。すなわち、水熱交換器３２は、水回路の水から吸熱する吸熱器として働き水を冷却する。ガス冷媒は四方弁１３を通り、再度圧縮機１２に流入し高温・高圧の冷媒となる。
【００３４】
水回路では、ポンプが生成した圧力により水を循環させる。水熱交換器３２で冷却され低温になった水は、低温のまま室外機筐体内の水配管３１から室内機筐体内の水配管３１へと流れる。室内機筐体内の水配管３１を流れる低温の水は、室内熱交換器２１に流入する。
【００３５】
室内熱交換器２１に流入した水は室内空気と熱交換され加熱される。この際、室内空気は冷却される。加熱された水は室外機筐体内の水配管３１に進み、ポンプ３３を通過し、再度水熱交換器３２に流入し冷却され低温の水となる。
【００３６】
次に暖房運転時においては、１次側の冷媒回路では、圧縮機１２により冷媒は高温・高圧となり、四方弁１３を通り水熱交換器３２へ流入する。水熱交換器３２に流入した冷媒は、水回路を循環する水と熱交換して凝縮し液冷媒となる。この際に、水回路を循環する水は加熱される。すなわち、水熱交換器３２は、放熱器として機能して水回路に流れる水を加熱する。
【００３７】
液冷媒は、膨張弁１６を通り膨張して低温・低圧の気液二相冷媒となる。気液二相冷媒は、室外熱交換器１４へ流入する。この際、室外熱交換器１４は、蒸発器として機能し、流入した冷媒を蒸発させる。すなわち、室外熱交換器１４へ流入した気液二相冷媒は、外気と熱交換して蒸発してガス冷媒となる。ガス冷媒は、四方弁１３を通り再度圧縮機１２に流入し高温・高圧の冷媒となる。
【００３８】
水回路では、ポンプ３３の生成した圧力により、水回路の水を循環させる。まず、水熱交換器３２で冷却された低温の水は、高温のまま室外機筐体内の水配管３１から室内機筐体内の水配管３１へと流れる。室内機筐体内の水配管３１を流れる高温の水は、室内熱交換器２１に流入する。
【００３９】
室内熱交換器２１に流入した水は室内空気と熱交換され冷却される。この際、室内空気は加熱される。冷却された水は室外機筐体内の水配管３１に進み、ポンプ３３を通過し、再度水熱交換器３２に流入し加熱され高温の水となる。
【００４０】
ここで、冷房運転時等には低温の冷媒が水熱交換器３２へ流入する。この際、摂氏０度（水の凍結点）以下の冷媒が水熱交換器３２へ流入することがあり、水回路を循環する水が凍結してしまい、凍結による水の体積膨張により水熱交換器３２が損傷してしまう可能性がある。また、例えば、経年劣化、外部応力等により水熱交換器３２が損傷してしまう場合もある。
【００４１】
水熱交換器３２が損傷すると、水熱交換器３２内の冷媒の流路と水の流路とが通じてしまうことがある。そして、この場合には、冷媒配管１１の内部圧力の方が水配管３１の内部圧力よりも高いため、冷媒回路の冷媒配管１１内の冷媒が、水回路の水配管３１内に侵入してしまう可能性がある。
【００４２】
暖房運転時に水熱交換器３２に流入する冷媒は、圧縮機１２で圧縮された高温・高圧のガス冷媒である。したがって、暖房運転時に水熱交換器３２が損傷して水熱交換器３２内の冷媒の流路と水の流路とが通じてしまった場合、水回路の水配管３１内に気体状態の冷媒が侵入し、侵入した冷媒は気体のまま水回路内を流れる。
【００４３】
また、冷房運転時に水熱交換器３２に流入する冷媒は低温の気液二相冷媒である。したがって、冷房運転時に水熱交換器３２が損傷して水熱交換器３２内の冷媒の流路と水の流路とが通じてしまった場合、水回路の水配管３１内に気液二相状態の冷媒が侵入する。このうち、液相の冷媒は、水配管３１内に侵入した際に水により加熱されて気化する。一方、気相の冷媒はそのまま気体である。したがって、冷房運転時においても水配管３１内に侵入した冷媒は気体の状態で水回路内を流れる。すなわち、暖房運転時及び冷房運転時のいずれにおいても、水配管３１内に侵入した冷媒は気体の状態で水回路内を流れることになる。
【００４４】
水熱交換器３２で水回路に侵入したガス冷媒は、ポンプ３３の生成した圧力によって前述した循環方向に沿って水配管３１内を流れる。水熱交換器３２において冷媒が水回路中に侵入すると、水回路の水配管３１の内部圧力が全体的に上昇する。冷媒が水回路中に侵入したことで水配管３１の内部圧力が上昇し、水配管３１の内部圧力が予め設定された動作圧以上になると、第１の圧力弁２４及び第２の圧力弁３５が作動し、水配管３１が開放される。この際、水配管３１内の冷媒が第１の圧力弁２４及び第２の圧力弁３５の一方又は両方から排出される可能性がある。
【００４５】
この実施の形態に係るヒートポンプ装置が適用された空気調和機は、さらに、第１の冷媒漏洩センサ２５及び第２の冷媒漏洩センサ３６、並びに、撹拌ファン４０を備えている。第１の冷媒漏洩センサ２５は、室内機２０の筐体の内部に設置されている。第２の冷媒漏洩センサ３６は、中継器３０の筐体の内部に設置されている。第１の冷媒漏洩センサ２５及び第２の冷媒漏洩センサ３６は、少なくとも、冷媒配管１１に封入されたものと同種の冷媒を検知可能である。第１の冷媒漏洩センサ２５及び第２の冷媒漏洩センサ３６は、例えば、接触燃焼式、半導体式、熱伝導式、低電位電解式及び赤外線式などの各方式のセンサを用いることができる。
【００４６】
また、第１の冷媒漏洩センサ２５及び第２の冷媒漏洩センサ３６として酸素センサを用いることもできる。酸素センサを用いた場合には、センサ出力に基づいて酸素濃度を求め、酸素濃度の低下分は流入ガスによるものであるとして流入ガスの濃度を逆算することで、流入ガスすなわち冷媒の濃度を間接的に検出することができる。酸素センサとしては、例えば、ガルバニ電池式、ポーラロ式及びジルコニア式等の各方式を用いることができる。
【００４７】
この実施の形態に係るヒートポンプ装置が適用された空気調和機は、第１の冷媒漏洩センサ２５及び第２の冷媒漏洩センサ３６の検知結果を利用して、前述した第１の筐体である室内機２０の筐体及び前述した第２の筐体である中継器３０の筐体のそれぞれの内部における冷媒の漏洩の発生を検知する。
【００４８】
撹拌ファン４０は、図１に示すように、第２の筐体すなわち中継器３０の筐体の外部であって、かつ、中継器３０が設置される空間内に設けられる。又は、撹拌ファン４０は、前述した第２の筐体すなわち中継器３０の筐体の内部に設けられてもよい。撹拌ファン４０は、中継器３０が設置された室内、又は、中継器３０の筐体の内部の空気を撹拌するためのファンである。
【００４９】
この実施の形態に係るヒートポンプ装置が適用された空気調和機の制御系統の構成を図２に示す。同図に示すように、この実施の形態に係る空気調和機は、漏洩検知部５１、記憶部５２、報知部５３及び制御部５４を備えている。これらの各部は、例えば、空気調和機の制御装置に搭載された回路により構成される。
【００５０】
漏洩検知部５１は、第１の冷媒漏洩センサ２５及び第２の冷媒漏洩センサ３６の検知結果に基づいて、前述した第１の筐体である室内機２０の筐体及び前述した第２の筐体である中継器３０の筐体のそれぞれの内部における冷媒の漏洩の発生を検知する。前述したように、第１の冷媒漏洩センサ２５及び第２の冷媒漏洩センサ３６は、直接的又は間接的に冷媒配管１１に封入された冷媒を検知可能である。そして、第１の冷媒漏洩センサ２５及び第２の冷媒漏洩センサ３６は、検知した冷媒の濃度に応じた検知信号を出力する。
【００５１】
第１の冷媒漏洩センサ２５及び第２の冷媒漏洩センサ３６から出力された検知信号は、漏洩検知部５１に入力される。漏洩検知部５１は、まず、第１の冷媒漏洩センサ２５及び第２の冷媒漏洩センサ３６それぞれからの検知信号の示す冷媒濃度が漏洩判断基準値以上であるか否かを判定する。漏洩判断基準値は、予め設定された値である。予め設定された漏洩判断基準値は、記憶部５２に記憶されている。漏洩検知部５１は、記憶部５２から取得した漏洩判断基準値と第１の冷媒漏洩センサ２５及び第２の冷媒漏洩センサ３６それぞれからの検知信号の示す冷媒濃度とを比較して判定を行う。
【００５２】
そして、第１の冷媒漏洩センサ２５からの検知信号の示す冷媒濃度が漏洩判断基準値以上である場合、漏洩検知部５１は、制御部５４へと第１の冷媒漏洩検知信号を出力する。第１の冷媒漏洩検知信号は、前述した第１の筐体（室内機２０の筐体）内での冷媒漏洩を検知した旨の信号である。このように、第１の冷媒漏洩センサ２５及び漏洩検知部５１は、前述した第１の筐体（室内機２０の筐体）内での冷媒の漏洩を検知可能な第１の漏洩検知手段を構成している。
【００５３】
また、第２の冷媒漏洩センサ３６からの検知信号の示す冷媒濃度が漏洩判断基準値以上である場合、漏洩検知部５１は、制御部５４へと第２の冷媒漏洩検知信号を出力する。第２の冷媒漏洩検知信号は、前述した第２の筐体（中継器３０の筐体）内での冷媒漏洩を検知した旨の信号である。このように、第２の冷媒漏洩センサ３６及び漏洩検知部５１は、前述した第２の筐体（中継器３０の筐体）内での冷媒の漏洩を検知可能な第２の漏洩検知手段を構成している。なお、第２の冷媒漏洩センサ３６は、第２の筐体すなわち中継器３０の筐体の外部であって、かつ、中継器３０が設置される空間内に設けられてもよい。すなわち、第２の漏洩検知手段は、中継器３０の筐体内又は中継器３０（の筐体）が設置される空間内の冷媒の漏洩を検知可能なものとしてもよい。
【００５４】
制御部５４は、空気調和機が備えるアクチュエータを制御することで、空気調和機の動作全般を制御する。制御部５４の制御対象には、図２に明示的に記載した室内ファン２２及び撹拌ファン４０の他に、例えば、圧縮機１２、四方弁１３、室外ファン１５、ポンプ３３及び第２の圧力弁３５等が含まれる。
【００５５】
制御部５４は、漏洩検知部５１から第１の冷媒漏洩検知信号が入力された場合、室内ファン２２を動作させる。すなわち、前述した第１の漏洩検知手段により冷媒の漏洩が検知された場合に送風ファンである室内ファン２２を動作させる。漏洩検知部５１から第１の冷媒漏洩検知信号が出力されたということは、第１の冷媒漏洩センサ２５により、室内機２０の筐体内での冷媒漏洩が検知されたということである。そこで、室内ファン２２により室内機２０の筐体内の空気を撹拌することで漏洩した冷媒の拡散を図り、室内機２０の筐体内に漏洩した冷媒が滞留して冷媒濃度が上昇してしまうことを抑制できる。
【００５６】
また、制御部５４は、漏洩検知部５１から第２の冷媒漏洩検知信号が入力された場合、撹拌ファン４０を動作させる。すなわち、前述した第２の漏洩検知手段により冷媒の漏洩が検知された場合に撹拌ファン４０を動作させる。漏洩検知部５１から第２の冷媒漏洩検知信号が出力されたということは、第２の冷媒漏洩センサ３６により、中継器３０の筐体内での冷媒漏洩が検知されたということである。そこで、撹拌ファン４０により中継器３０の筐体内又は中継器３０が設置された室内の空気を撹拌することで漏洩した冷媒の拡散を図り、中継器３０の筐体内又は中継器３０が設置された室内に漏洩した冷媒が滞留して冷媒濃度が上昇してしまうことを抑制できる。すなわち、中継器３０の液熱交換器で冷媒漏洩が発生した場合に、漏洩した冷媒の拡散を図ることができる。
【００５７】
撹拌ファン４０の風向は、鉛直上向き又は鉛直下向きとするとよい。前述したように、この実施の形態で使用する冷媒は、空気より重いため床面の近くに溜まりやすい。そこで、撹拌ファン４０により鉛直方向の風を生じさせることで、より効果的に床面の近くに溜まった冷媒を拡散させることができる。なお、冷媒は床面の近くに溜まりやすいため、第１の冷媒漏洩センサ２５及び第２の冷媒漏洩センサ３６を床面の近くに設置することが好ましい。
【００５８】
また、冷媒漏洩が検知されて室内ファン２２、撹拌ファン４０を動作させた場合、制御部５４は、予め設定された一定時間が経過した後に、室内ファン２２、撹拌ファン４０を停止させてもよい。この際の一定時間は、空気調和機に充填された冷媒を室内空間に十分に拡散させることができる時間以上に設定するとよい。
【００５９】
ここで、例えばＲ３２を冷媒に使用した場合について、具体的な数値例を挙げながら説明する。中継器３０が床面に設置される部屋が、床面積６ｍ＾２、高さ２．２ｍ（容積１３．２ｍ＾３）であるとする。そして、空気調和機の冷媒回路には、冷媒としてＲ３２が２．０ｋｇ充填されているとする。
【００６０】
このような場合において、冷媒が室内に漏洩すると、冷媒は空気より重いため床面近傍に冷媒が滞留する。これにより、床面近傍にＲ３２の下限燃焼濃度（ＬＦＬ）である０．３０７ｋｇ／ｍ＾３より冷媒濃度が高い領域が生じる。中継器３０で冷媒が漏洩すると、第２の冷媒漏洩センサ３６が漏洩した冷媒を検知する。そして、漏洩検知部５１において中継器３０での冷媒の漏洩が検知されると、制御部５４は撹拌ファン４０を動作させる。
【００６１】
撹拌ファン４０が動作することにより中継器３０が設置された室内の空気を撹拌され、漏洩した冷媒が拡散される。この撹拌により室内のＲ３２の濃度が均一になったとすると、室内のＲ３２の濃度は、０．１５２ｋｇ／ｍ＾３となる。これは、Ｒ３２の下限燃焼濃度（ＬＦＬ）である０．３０７ｋｇ／ｍ＾３よりも小さい。したがって、Ｒ３２の下限燃焼濃度（ＬＦＬ）よりも冷媒濃度が高い領域が生じることを防止できる。このようにして、撹拌ファン４０を設けることで、中継器３０が設置された室内に漏洩した冷媒が滞留して冷媒濃度が上昇してしまうことを抑制できる。
【００６２】
なお、漏洩検知部５１から冷媒漏洩検知信号が出力されると、報知部５３は、その旨を利用者又は作業者等に報知し、換気及び修理等の実施を促す。この報知部５３は、室内機２０の筐体又は中継器３０の筐体の内部での冷媒漏洩の発生を検知した旨を、音で報知するためのスピーカ又は光で報知するためのＬＥＤ等を備えている。報知部５３は、例えば、室内機２０の筐体、空気調和機のリモコン等に設けられる。
【００６３】
また、制御部５４は、漏洩検知部５１から出力された冷媒漏洩検知信号の入力を受けると、空気調和機の通常運転を停止させる。この場合、専門の保守員等による点検、補修作業が完了するまでは、制御部５４は通常運転に復帰させないようにすることが好ましい。
【００６４】
さらに、この実施の形態に係るヒートポンプ装置においては、制御部５４は、当該ヒートポンプ装置の運転開始時に撹拌ファン４０を動作させる。すなわち、撹拌ファン４０は、当該ヒートポンプ装置の運転開始時に動作する。なお、当該ヒートポンプ装置の運転開始時とは、例えば冷媒配管１１内での冷媒の流通開始時及び水配管３１内での水の流通開始時と言い換えてもよい。このように構成されたヒートポンプ装置によれば、長期間にわたって撹拌ファン４０が停止したために撹拌ファン４０が固着等してしまい、必要時に撹拌ファン４０が動作できないことを抑制できる。
【００６５】
ここで、制御部５４は、撹拌ファン４０が正常に動作できない場合に、第２の圧力弁３５の開放を禁止するようにしてもよい。具体的に例えば、この実施の形態に係るヒートポンプ装置は、図２に示すように、風量センサ６１及び回転数センサ６２を備えている。
【００６６】
風量センサ６１は、撹拌ファン４０の風量を検出するセンサである。そして、制御部５４は、撹拌ファン４０の動作中において、風量センサ６１により検出された撹拌ファン４０の風量が基準風量以下の場合に、撹拌ファン４０が正常に動作できないとして第２の圧力弁３５の開放を禁止する。前述の基準風量は、撹拌ファン４０により冷媒を拡散させる能力が十分に確保できる風量に予め設定されている。
【００６７】
また、回転数センサ６２は、撹拌ファン４０の回転数を検知するセンサである。制御部５４は、撹拌ファン４０の動作中において、回転数センサ６２により検出された撹拌ファン４０の回転数が基準回転数以下の場合に、撹拌ファン４０が正常に動作できないとして第２の圧力弁３５の開放を禁止する。前述の基準回転数は、前述の基準風量に対応する撹拌ファン４０の回転数に予め設定されている。
【００６８】
なお、前述した基準風量及び基準回転数は、例えば記憶部５２に予め記憶されている。また、風量センサ６１及び回転数センサ６２の両方を備える必要はなく、これらの一方のみを備えてもよい。
【００６９】
さらに、図示は省略しているが、撹拌ファン４０のモーターには、モーターの温度を検出する温度センサが設けられている。モーターでロック等が発生するとモーターが異常発熱する。そこで、制御部５４は、撹拌ファン４０のモーターの温度が予め設定された基準温度以上に上昇した場合に、撹拌ファン４０が正常に動作できないとして第２の圧力弁３５の開放を禁止するようにしてもよい。
【００７０】
以上のようにすることで、撹拌ファン４０が正常に動作しない場合には第２の圧力弁３５の開放が禁止される。したがって、この状態において、水熱交換器３２が損傷し、冷媒配管１１内の冷媒が水配管３１内に侵入したとしても第２の圧力弁３５の開放が禁止されているため、水配管３１の内圧上昇時には、第１の圧力弁２４のみが作動する。
【００７１】
したがって、水配管３１内の冷媒は、第１の圧力弁２４から室内機２０の筐体内へと排出される。室内機２０の筐体内に冷媒が排出されると、第１の冷媒漏洩センサ２５により漏洩した冷媒が検知される。そして、前述したようにして室内ファン２２が動作し、漏洩した冷媒の拡散が図られる。
【００７２】
このようにして、漏洩した冷媒の拡散を図る手段である撹拌ファン４０が正常に動作できない状況では、中継器３０の筐体内の第２の圧力弁３５の開放が禁止され、冷媒回路から液状熱媒体回路へ侵入した冷媒が中継器３０側で漏洩する可能性を低減できる。よって、液状熱媒体回路へ侵入した冷媒が中継器３０側で漏洩して滞留してしまうことを抑制可能である。一方、室内機２０の筐体内の第１の圧力弁２４は作動可能であるため、水配管３１内の圧力上昇に対しても対処できる。
【００７３】
ここで、制御部５４は、予め設定された一定期間毎に撹拌ファン４０を動作させるようにしてもよい。このようにすることで、当該ヒートポンプ装置（ここでは空気調和機）が長期間にわたって運転されない場合であっても、長期間にわたって撹拌ファン４０が停止したために撹拌ファン４０が固着等してしまうことを抑制できる。
【００７４】
さらに、当該ヒートポンプ装置の運転開始時、又は、前述の一定期間毎に撹拌ファン４０を動作させた際に、制御部５４は、撹拌ファン４０が正常に動作するか否かを確認するようにしてもよい。そして、撹拌ファン４０が正常に動作しない場合には、制御部５４は、第２の圧力弁３５の開放を禁止する。このようにすることで、撹拌ファン４０が正常に動作するか否かが確認できた状態で、当該ヒートポンプ装置を運転させることができる。
【００７５】
次に、図３を参照しながら、以上のように構成されたヒートポンプ装置を備えた空気調和機の動作例について説明する。まず、ステップＳ１において、使用者が運転開始操作を行って空気調和機の運転がＯＮとなると、続くステップＳ２において、制御部５４は、撹拌ファン４０を動作させる。ステップＳ２の後、処理はステップＳ３へと進む。
【００７６】
ステップＳ３においては、制御部５４は、風量センサ６１により検出された撹拌ファン４０の風量が前述の基準風量以下であるか否かを確認する。撹拌ファン４０の風量が基準風量以下でない場合、処理はステップＳ４へと進む。
【００７７】
なお、回転数センサ６２を備えている場合には、制御部５４は、回転数センサ６２により検出された撹拌ファン４０の回転数が前述の基準回転数以下であるか否かを確認してもよい。この場合、撹拌ファン４０の回転数が前述の基準回転数以下でないときに処理はステップＳ４へと進む。
【００７８】
ステップＳ４においては、制御部５４は、空気調和機の通常運転を開始させる。続くステップＳ５において、制御部５４は、前述した第１の漏洩検知手段及び第２の漏洩検知手段の少なくともいずれかで冷媒漏洩が検知されたか否かを確認する。第１の漏洩検知手段及び第２の漏洩検知手段のいずれでも冷媒漏洩が検知されない場合、冷媒漏洩が検知されるまでステップＳ４で開始した空気調和機の通常運転が継続される。そして、第１の漏洩検知手段及び第２の漏洩検知手段の少なくともいずれかで冷媒漏洩が検知されれば、処理はステップＳ６へと進む。
【００７９】
ステップＳ６においては、制御部５４は、室内ファン２２及び撹拌ファン４０の一方又は両方を動作させる。より詳しくは、第１の漏洩検知手段により室内機２０の筐体内での冷媒漏洩が検知された場合、制御部５４は、室内ファン２２を動作させる。また、第２の漏洩検知手段により中継器３０の筐体内での冷媒漏洩が検知された場合、制御部５４は、撹拌ファン４０を動作させる。なお、第１の漏洩検知手段及び第２の漏洩検知手段の両方で冷媒漏洩が検知された場合には、室内ファン２２及び撹拌ファン４０の両方が動作される。
【００８０】
続くステップＳ７において、報知部５３は、室内機２０の筐体又は中継器３０の筐体の内部での冷媒漏洩の発生を検知した旨を報知する。そして、処理はステップＳ８へと進み、制御部５４は、ステップＳ４で開始した空気調和機の通常運転を停止させる。ステップＳ８の処理が完了すると、一連の動作は終了となる。
【００８１】
一方、ステップＳ３で撹拌ファン４０の風量が基準風量以下の場合、又は、撹拌ファン４０の回転数が基準回転数以下の場合には、処理はステップＳ９へと進む。ステップＳ９においては、報知部５３は、撹拌ファン４０が正常に動作しない旨を利用者又は作業者等に報知し、撹拌ファン４０の点検、清掃、交換、修理等の実施を促す警告を行う。続くステップＳ１０において、制御部５４は、中継器３０の第２の圧力弁３５を閉止し、第２の圧力弁３５の開放を禁止する。ステップＳ１０の後、処理はステップＳ１１へと進む。
【００８２】
ステップＳ１１において、制御部５４は、室内ファン２２を動作させる。ステップＳ１１の後、処理はステップＳ１２へと進む。ステップＳ１２においては、制御部５４は、室内ファン２２の風量が基準風量以下であるか否かを確認する。このために室内ファン２２の風量を検出するためのセンサが設けられている。この室内ファン２２の基準風量は、例えば撹拌ファン４０の基準風量に準じて予め設定される。ただし、室内ファン２２の設置条件が撹拌ファン４０とは大きく異なる場合には、室内ファン２２の設置条件に応じて室内ファン２２の基準風量を設定するとよい。なお、撹拌ファン４０の場合と同様、室内ファン２２の回転数による判定を行ってもよい。
【００８３】
そして、室内ファン２２の風量が基準風量以下でない場合、処理はステップＳ１３へと進み、制御部５４は、空気調和機の通常運転を開始させる。一方、ステップＳ１２で室内ファン２２の風量が基準風量以下の場合には、空気調和機の運転が開始されない。
【００８４】
ステップＳ１３の次は、ステップＳ１４へと処理が進む。ステップＳ１４においては、制御部５４は、前述した第１の漏洩検知手段により冷媒漏洩が検知されたか否かを確認する。第１の漏洩検知手段により冷媒漏洩が検知されない場合、冷媒漏洩が検知されるまでステップＳ１３で開始した空気調和機の通常運転が継続される。そして、第１の漏洩検知手段により冷媒漏洩が検知されれば、処理はステップＳ１５へと進む。ステップＳ１５においては、制御部５４は、室内ファン２２を動作させる。ステップＳ１５の処理が完了すれば、処理はステップＳ７へと進む。
【００８５】
以上のような動作により、この実施の形態に係るヒートポンプ装置においては、中継器３０の水熱交換器３２で冷媒漏洩が発生した場合に、撹拌ファン４０により漏洩した冷媒の拡散を図ることができる。また、ヒートポンプ装置の運転前に撹拌ファン４０を動作させることで撹拌ファン４０の固着等を抑制できるとともに、撹拌ファン４０が正常に動作するか否かを確認し、撹拌ファン４０が正常に動作しない状況では、水熱交換器３２の損傷により冷媒回路から水回路へ侵入した冷媒が中継器３０側で漏洩する可能性を低減し、ひいては、漏洩した冷媒が中継器３０側で滞留してしまうことを抑制できる。
【符号の説明】
【００８６】
１０    室外機
１１    冷媒配管
１２    圧縮機
１３    四方弁
１４    室外熱交換器
１５    室外ファン
１６    膨張弁
２０    室内機
２１    室内熱交換器
２２    室内ファン
２３    ドレンパン
２４    第１の圧力弁
２５    第１の冷媒漏洩センサ
３０    中継器
３１    水配管
３２    水熱交換器
３３    ポンプ
３４    空気抜き弁
３５    第２の圧力弁
３６    第２の冷媒漏洩センサ
４０    撹拌ファン
５１    漏洩検知部
５２    記憶部
５３    報知部
５４    制御部
６１    風量センサ
６２    回転数センサ
【図１】
2020071008.tif 000003
【図２】
2020071008.tif 000004
【図３】
2020071008.tif 000005